(57)【要約】【課題】コストを上昇させずに、フィルタの交換を容易にするための廃液方法を有する、フィルタハウジングを得る。【解決手段】フィルタハウジングの下部に、内部の径よりも外部の径が大きくなるように配置された開口を有し、該開口を塞ぐ三角錐状の弁を上下に可動に配置することにより、開口が塞がれた状態（濾過状態）では、ドーナツ状に凝集した沈殿物が発生するようにし、開口が開放された状態（廃液状態）では、流体が廃液される際に、ドーナツ状に凝集した沈殿物表面を流れるようにすることにより、凝集した沈殿物を分解させる。【選択図】図２
2010000407.tif 000002
【特許請求の範囲】
【請求項１】
濾過処理を行うフィルタを交換可能なフィルタハウジングにおいて、フィルタハウジングの下部に、内部の径よりも外部の径が大きくなるように配置された廃液開口部を有し、フィルタハウジング外に、該廃液開口部を塞ぐ三角錐状の弁を上下に可動に配置したことを特徴とするフィルタハウジング。
【請求項２】
濾過処理を行うフィルタを交換可能なフィルタハウジングにおいて、フィルタハウジングの下部に、内部の径よりも外部の径が大きくなるように配置された廃液開口部を有し、フィルタハウジング内に、該廃液開口部を塞ぐ逆三角錐状の弁を上下に可動に配置したことを特徴とするフィルタハウジング。
【発明の詳細な説明】
【技術分野】
【０００１】
本発明は、濾過処理を行うフィルタを交換可能なフィルタハウジングにおいて、そのフィルタを交換する際の廃液手段に関するものである。
【背景技術】
【０００２】
所定の粒径の固形分を含有する流体の送液において、その液体の調液製造工程を厳重に管理し、その液体内に於ける所定粒径の固形分所定粒径以上の固形分を不要物として送液工程前に排除しても、その固形分の凝集や、沈殿が発生することを回避することは困難であり、分散状態ではその不要物ではない固形分も、凝集や沈殿により、その不要物と成り得る可能性を含有しており、安定した送液状態を管理、確保するためには、その不要物を濾過除外するフィルタを使用することは必須であり、そのフィルタの定期的な交換も必須となっている。
【０００３】
そのフィルタを固定し、送液、濾過経路を確保するために、そのフィルタをフィルタハウジング内に格納することが従来から行われている。図１に示すように、従来のフィルタハウジング１は、フィルタハウジング１の内部に、フィルタ２を内蔵し、フィルタハウジング１の上部に配した流体入り口３から、フィルタ２の外周へ流体４ａを送り込んでおり、フィルタ２の内部へ流体４ｂを送液して濾過し、流体出口５から流出させている。
【０００４】
しかし、そのフィルタ２の交換作業において、そのフィルタハウジング１内に流体４ａが満たされている状態で、そのフィルタハウジング１を開閉すると、流体４ａを溢し、飛散させる可能性があり、周辺の作業環境を汚染してしまうことがある問題があった。その汚染を起さないために、その交換作業前にはフィルタハウジング１内の流体を廃液することが一般的であり、流体４ｃの廃液により、そのフィルタ２の交換作業を容易にすることができる。また、廃液開口部はフィルタハウジング１の下部の中心部に形成することが一般的である。
【０００５】
しかし、フィルタハウジング１の下部に廃液用の廃液開口部を設けるだけでは、濾過処理中に、凝集、沈降した不要物６は、フィルタハウジング１の下部に堆積されてしまい、フィルタ２の交換作業の際に排出バルブ７を開放しても、凝集した沈降物６が廃液開口部を塞ぎ、排出が困難になっている。そのため、廃液開口部を塞いだ沈降物６を除去するために、加圧による凝集した沈殿物６の除去（押し出し）や、フィルタハウジング１外部から、その廃液開口部の凝集した沈殿物６を、棒を挿入して移動させたり粉砕して除去する必要を生じる場合があり、その作業に時間を要する問題があった。
【０００６】
そこで、特許文献１から４では、濾過装置や、フィルタハウジング１内に渦を発生させたり、攪拌子を設けたりする凝集・沈殿防止機構を設けることにより、上記課題を解決しようとしている。
【０００７】
以下に公知文献を記す。
【特許文献１】特開昭６１−１０３５５
【特許文献２】特開平４−２２７００６
【特許文献３】特開平１０−９２０９
【特許文献４】特表平３−５０５３１９
【発明の開示】
【発明が解決しようとする課題】
【０００８】
しかし、特許文献１から４では、フィルタハウジング１内に設置する凝集・沈降防止機能が、フィルタハウジング１内の構造を複雑化させる問題があった。また、攪拌機構などを設置することにより高価になる問題があった。
【０００９】
また、特許文献１から４のようにフィルタハウジング１内に渦を発生させたり、攪拌子を設けたりしても、廃液開口部は流体の流速が遅い場所であり、凝集・沈殿の最も発生しやすい場所であるので、凝集・沈殿物が一旦発生すると、それを排出する効果は無い問題があった。そのため、本発明の課題は、コストを上昇させずに、フィルタ２の交換を容易にするための廃液機構を有する、フィルタハウジング１を得ることにある。
【課題を解決するための手段】
【００１０】
本発明は、上記課題を解決するために、濾過処理を行うフィルタを交換可能なフィルタハウジングにおいて、フィルタハウジングの下部に、内部の径よりも外部の径が大きくなるように配置された廃液開口部を有し、フィルタハウジング外に、該廃液開口部を塞ぐ三角錐状の弁を上下に可動に配置したことを特徴とするフィルタハウジングである。
【００１１】
これにより、廃液開口部が塞がれた状態（濾過状態）では、ドーナツ状に凝集した沈殿物が発生するようにし、廃液開口部が開放された状態（廃液状態）では、流体が廃液される際に、そのドーナツ状の凝集した沈殿物の表面を流れ凝集・沈殿状態を一部破壊し、凝集した沈殿物を分解する効果が得られる。
【００１２】
また、本発明は、濾過処理を行うフィルタを交換可能なフィルタハウジングにおいて、フィルタハウジングの下部に、内部の径よりも外部の径が大きくなるように配置された廃液開口部を有し、フィルタハウジング内に、該廃液開口部を塞ぐ逆三角錐状の弁を上下に可動に配置したことを特徴とするフィルタハウジングである。
【００１３】
これにより、廃液開口部が塞がれた状態（濾過状態）では、ドーナツ状に凝集した沈殿物が発生するようにし、廃液開口部が開放された状態（廃液状態）では、流体が廃液される際に、そのドーナツ状の凝集した沈殿物の表面を流れ凝集・沈殿状態を一部破壊し、凝集した沈殿物を分解する効果が得られる。
【発明の効果】
【００１４】
本発明は、上述したように、濾過処理を行うフィルタ２を交換可能なフィルタハウジング１において、フィルタハウジング１の下部に、内部の径よりも外部の径が大きくなるように配置された廃液開口部を有し、フィルタハウジング１の外あるいは内に、その廃液開口部を塞ぐ三角錐状の弁９を上下に可動に配置するものであり、以下に説明する効果を奏することができる。
【００１５】
濾過処理を行うフィルタ２を格納するフィルタハウジング１下部に、内部の径よりも外部の径が大きくなるように配置された廃液開口部を有し、フィルタハウジング１外に、その廃液開口部を塞ぐ三角錐状の弁を上下に可動に配置することで、廃液開口部が塞がれた状態（濾過状態）では、その廃液開口部を塞ぐ三角錐状の弁周辺に、ドーナツ状に凝集した沈殿物が発生するようになり、廃液開口部が開放された状態（廃液状態）では、流体が廃液される際に、そのドーナツ状の凝集した沈殿物表面を流れるようにすることにより、その凝集した沈殿物を分解する効果が得られる。
【００１６】
また、逆三角錐状の弁をフィルタハウジング１内に配置することにより、廃液開口部が塞がれた状態（濾過状態）では、その廃液開口部を塞ぐ逆三角錐状の弁の周辺に、ドーナツ状に凝集した沈殿物が堆積し、その弁の上に沈殿物が堆積する。そして、その弁を上昇させることで、廃液開口部を開放した状態（廃液状態）にする。その際に、凝集した沈殿
物の一部を破壊し、廃液される流体と共に流出させて、ドーナツ状に凝集した沈殿物に衝突させて、その凝集した沈殿物を破壊し分解し易くする効果が得られる。
【００１７】
したがって、本発明のフィルタハウジング１によれば、フィルタ２交換の際に、容易にフィルタハウジング１内の流体を廃液するとともに、凝集した沈殿物の一部を排出することでき、交換時間の短縮化が図れ、かつ流体こぼれによる周辺作業環境の汚染を解消することが出来る。
【発明を実施するための最良の形態】
【００１８】
以下、この発明の実施形態について図２〜図３を参照しながら説明する。
＜第１の実施形態＞
第１の実施形態では、図２に示すように、フィルタハウジング１の内部に、フィルタ２を内蔵し、フィルタハウジング１の上部に配した流体入り口３から、フィルタ２の外周へ流体４ａを送り込み、フィルタ２に、その外部から内部へ流体４ｂを送り込むことで流体４ｂをフィルタ２で濾過し、流体出口５から流体４ａを流出させる。ここで、フィルタハウジング１下部に、フィルタハウジング１の内側の径よりも外側の径を大きくした廃液開口部８を空け、フィルタハウジング１の外部に、廃液開口部８を塞ぐ三角錐状の弁９を配置し、流体４ａの送液・濾過処理時には、その弁９をその廃液開口部８にはめ込んで塞ぐように構成する。弁９は、可動機構１０と連結されており、図２においては上下に昇降するように配置されている。弁９を上昇させて廃液開口部８に弁９をはめ込んで塞いだ状態で流体４ｂの濾過処理を行う。この濾過処理中は、三角錐状の弁９の周囲にドーナツ状に沈殿物６が堆積して凝集する。
【００１９】
次に、弁９を降下することにより、廃液開口部８と弁９の間に隙間をあけて、廃液状態にする。この廃液状態の際に、先の濾過状態において弁９の周囲にドーナツ状に堆積された凝集した沈降物６は、廃液開口部８と弁９の間の隙間を通り、流体４ｃとともに廃液排出口１１より排出される。この際に、凝集した沈殿物６がドーナツ状に形成されているため、廃液開口部８の排出口への流路を塞がず、流体４ｃの廃液がスムーズに行われる効果がある。それとともに、その流体４ｃの廃液の流れが、ドーナツ状に堆積した凝集した沈殿物６を一部破壊し、分解して押し流すように作用するため、流体４ｃの廃液と同時に、凝集した沈殿物６が排出される効果もある。
【００２０】
＜第２の実施形態＞
第２の実施形態では、図３のように、廃液開口部８を塞ぐ逆三角錐状の弁９をフィルタハウジング１の内部に配置する。図３に示すように、フィルタハウジング１下部に、フィルタハウジング１の内側より、外側の径を大きくした廃液開口部８を形成し、流体４ａの送液・濾過処理時には、フィルタハウジング１の内部に配置された弁９'により廃液開口部８を塞いだ状態で流体４ｂの濾過処理を行う。濾過処理中は、逆三角錐状の弁９’の周囲にドーナツ状に沈殿物６が堆積して凝集する。弁９'は、可動機構１０と連結されており、図２においては上下に昇降するように配置されている。弁９'を上昇させることで、廃液開口部８と弁９'の間に隙間をあけ、流体４ｃを廃液する。この場合には、弁９’の周囲にドーナツ状に堆積され凝集した沈降物６を、この隙間を通して流体４ｃと共に廃液排出口１１から排出させる。
【００２１】
また、弁９'を上昇させることにより、弁９'の上部に堆積して凝集した沈殿物６を素片に分解して落下させ、その分解した素片が流体４ｃの廃液と一緒に流れてドーナツ状に堆積した凝集した沈殿物６と衝突することで、ドーナツ状に堆積した凝集した沈殿物６の一部を破壊し、沈殿物６を分解して押し流すように作用するため、流体４ｃの廃液と同時に、凝集した沈殿物６が分解されて排出される効果がある。
【図面の簡単な説明】
【００２２】
【図１】従来のフィルタハウジングの概略配置を示す図である。
【図２】本発明の第１の実施形態のフィルタハウジングの概略配置を示す図である。
【図３】本発明の第２の実施形態のフィルタハウジングの概略配置を示す図である。
【符号の説明】
【００２３】
１・・・フィルタハウジング
２・・・フィルタ
３・・・流体入り口
４ａ、４ｂ、４ｃ・・・流体
５・・・流体出口
６・・・沈降物
７・・・排出バルブ
８・・・廃液開口部
９、９’・・・弁
１０・・・可動機構
１１・・・廃液排出口
【図１】
2010000407.tif 000003
【図２】
2010000407.tif 000004
【図３】
2010000407.tif 000005